(57)【要約】【課題】  本発明は洗剤などの液体運搬容器に関し、外圧方向に係わらず上下の容器がずれないような液体運搬容器の新規な構造を提供することを目的とする。【解決手段】液体運搬用容器は本体１０の下面には外周の輪郭に沿って完全に閉じた矩形の溝１２を形成し、本体１０の上面には突起１４を形成し、容器を上下に重ねたとき上側の容器の溝１２に下側の容器の突起１４が嵌合する。下側の容器の突起１４は上側の容器の溝１２と嵌合する際に溝１２と突起１４とは前後及び左右において係合するため、容器を上下に積み重ねたとき上下の容器は前後にも左右にもずれることなく安定する。容器上面は空気抜き口２４を設けた後部から注ぎ口２２を設けた前部に向け下向きに傾斜する。把手２６は突起１４間において空気抜き口２４と注ぎ口２２との間を横切るように設けられる。【選択図】  図１
2005082184.tif 000002
【特許請求の範囲】
【請求項１】
液体運搬用容器であって、下面には外周の輪郭に沿って溝が形成され、上面からは前記溝と前後及び左右において係合しうる形状の突起が形成され、上面には注ぎ口及び空気抜き口が前記突起より幾分低くなるように設けられ、かつ取手が設けられたことを特徴とする液体運搬用容器。
【請求項２】
請求項１に記載の発明において、前記注ぎ口及び空気抜き口を形成した容器上面は空気抜き口から注ぎ口に向けて下向きに傾斜されていることを特徴とする液体運搬用容器。
【請求項３】
請求項１若しくは２に記載の発明において、前記取手は突起間において空気抜き口と注ぎ口との間を横切るように延設されていることを特徴とする液体運搬用容器。
【発明の詳細な説明】
【技術分野】
【０００１】
この発明は洗剤などの液体運搬容器に関し、積み重ねて収容するのに適した構造のものに関する。
【背景技術】
【０００２】
ポリエチレンなどのプラスチックにて形成される液体運搬容器は通常は使い捨てし、焼却処分されるものが多かった。しかしながら、容器に収容される液体に薬剤が含有されるものについては、焼却時に有害ガスが発生することがあるため、容器リサイクル法によって事業者は回収し、再使用を義務付けられるようになっている。そのため、容器の収容・回収に便利なように構成されていることが望ましい。
【０００３】
従来技術として特許文献１に開示のものでは、容器（灯油などの容器）は上面に凸部、下面に凹部を備え、凹凸嵌合させることで多数の容器を上下に重ねて収容できるようにしている。
【特許文献１】特開平１１−１１４５１号公報
【発明の開示】
【発明が解決しようとする課題】
【０００４】
特許文献１に開示のものでは、容器は上下に凹凸を備えているが、単なる凹部に凸部を嵌合させているだけであるため、左右又は前後の外圧に対して上下の容器がずれしてしまい、整然と積み重ねられた状態を維持できない問題点があった。
この発明はこの問題点に鑑みなれたものであり、外圧方向に係わらず上下の容器がずれないような液体運搬容器の新規な構造を提供することを目的とする。
【課題を解決するための手段】
【０００５】
請求項１に記載の発明によれば、液体運搬用容器であって、下面には外周の輪郭に沿って溝が形成され、上面からは前記溝と前後及び左右において係合しうる形状の突起が形成され、上面には注ぎ口及び空気抜き口が前記突起より幾分低くなるように設けられ、かつ取手が設けられたことを特徴とする液体運搬用容器が提供される。
【０００６】
請求項２に記載の発明によれば、請求項１に記載の発明において、前記注ぎ口及び空気抜き口を形成した容器上面は空気抜き口から注ぎ口に向けて下向きに傾斜していることを特徴とする液体運搬用容器が提供される。
【０００７】
請求項３に記載の発明によれば、請求項１若しくは２に記載の発明において、前記取手は突起間において空気抜き口と注ぎ口との間を横切るように延設されていることを特徴とする液体運搬用容器が提供される。
【発明の効果】
【０００８】
請求項１の発明の作用・効果を説明すると、複数の液体運搬用容器を上下に重ねた場合に、下面の溝と上面の突起とが相互に嵌合し、前後又は左右の外圧に係わらず溝と突起の嵌合状態は維持されるため、上下の容器はずれることがない。
【０００９】
請求項２の発明の作用・効果を説明すると、液体を注ぐ場合に空気抜き口からエアーを速やかに流入せしめることができ、薬液が飛び散らず安全で清潔な作業を行うことができる。
【００１０】
請求項３の発明の作用・効果を説明すると、把手を握った場合の注ぎ口に対する掌の向きが自然で円滑な作業を行うことができる。
【発明を実施するための最良の形態】
【００１１】
図１及び図２において、この発明の一実施形態における液体運搬用容器はポリエチレンなどのプラスチックにて成形された本体１０を備える。本体１０の下面には外周の輪郭に沿ってこの実施形態では完全に閉じた矩形の溝１２が形成される。溝１２の横断面形状はコの字若しくはＵ形状となっている。溝１２は全周に沿って完全に閉鎖していなくても、複数の容器を上下に重ねたとき前後にも左右にもずれを起こさない限りで溝１２は部分的に欠如した形状を取りうる。また、溝１２は容器外周の矩形輪郭に沿って配置されているが、必ずしも矩形輪郭を呈する必要はない。
【００１２】
本体１０の上面には前記溝と相補的な形状の突起１４が形成され、この突起１４は、完全に閉じていなくても、複数の容器を上下に重ねたとき前後にも左右にもずれを起こさないような部分的な切除部を有していてよい。図１では本体１０の前面における辺の部分において突起１４は部分的に欠如していて、開口部１６を呈している。
【００１３】
本体１０の上面１８は周囲の壁部２０から幾分下げられており、かつ後面から前面に向けて幾分下向きの傾斜を呈している。そして、壁部２０は前面おいては完全に切除されており、前方に向けて下向きに傾斜した容器上面１８が突起１４の欠如部を介してそのまま前面に開口する構造となっている。そして、容器の上下嵌合用の突起１４は前記壁部２０から幾分上方に突出（突出高さ＝ｈ）しており、この突出高さｈは容器を上下に重ねらたとき下側容器の突起１４が上側容器の溝１２に当たりなく収容されるように決められている。
【００１４】
容器上面１８における突起１４及び壁部２０が途切れた前面部位に注ぎ口２２が設けられ、注ぎ口２２はねじ式に脱着可能なキャップが装着され、容器上面１８における後ろ側の部位に空気抜き口２４が設けられ、空気抜き口２４にもねじ式の脱着可能なキャップが設けられる。従って、後部から前部に向けて下向きに傾斜した本体１０の上面１８における高さの低い前部に注ぎ口２２が、高さの高い後部に空気抜き口２４が設けられる。注ぎ口２２及び空気抜き口２４はその高さが突起１４の高さを超えないようにされ、複数の容器を上下に重ねたとき注ぎ口２２及び空気抜き口２４に上側の容器の底面が当たらないため上下の容易の安定した積み重ね状態を得ることができる。
【００１５】
図１において、把手２６は両端が突起１４に接続され、かつ把手２６は突起１４間において注ぎ口２２と空気抜き口２４との間を横切るように延設されている。
【００１６】
この発明の液体運搬用容器は洗剤など液体を収容するため業務用に使用するための意図したものであり、洗剤などの液体は旅館やホテルや保養所などの施設において小分けして使用される。即ち、注ぎ口２２と空気抜き口２４のキャップを外し、図３のように把手２６を片方の手で握り、反対の手で底面全周の溝１２に指をかけ、注ぎ口２２より液体を小分け容器に充填する。この小分けの際にする。この注ぎの際に、注ぎ口２２より空気抜き口２４が高くなっているためエアーが容器中に速やかに流入され、内部の液体が飛び散り難い利点がある。また、把手２６は注ぎ口２２と空気抜き口２４との間を直交する方向に延びており、掌の手の向きが自然であり、無理がかからないため、非力な作業員でも安心して作業することができる。また、注ぎ口２２より空気抜き口２４を形成した容器本体上面１８は下向きに傾斜し、かつ前面側は開口部１６となっているため、面１８はそのまま外部に開放しているため、現場作業時の水滴や雨水が滞留せず自然と落下することができ衛生的な観点で優れている。
【００１７】
図４は運送時若しくは使用後の再使用のためこの発明の液体運搬用容器を積み重ねた状態を示す。即ち、上側の容器をその下面の溝１２が下側の容器の上面の突起１４と正対するように位置させ、上下の容器の溝１２と突起１４とを嵌合させる。溝１２は全周に設けられ、突起１４は前面において切除されているが、４辺共備えているため、溝１２と突起１４との嵌合時、前後でも左右でも上下の容器はずれることがないため、上下の容器間で安定した積み重ね状態を確保することができる。
【図面の簡単な説明】
【００１８】
【図１】図１はこの発明の液体運搬用容器の上側より見た斜視図である。
【図２】図２はこの発明の液体運搬用容器の下側より見た斜視図である。
【図３】図３は液体を注ぐ際の、この発明の液体運搬用容器の使用状態を示す斜視図である。
【図４】図４は複数の液体運搬用容器を積み重ねる際のこの発明の使用状態を示す斜視図である。
【符号の説明】
【００１９】
１０…本体
１２…溝
１４…突起
１６…開口部
１８…容器上面
２０…壁部
２２…注ぎ口
２４…空気抜き口
２６…把手
【図１】
2005082184.tif 000003
【図２】
2005082184.tif 000004
【図３】
2005082184.tif 000005
【図４】
2005082184.tif 000006